【事件の表示】
　特願２００１−３８７５９６「感熱記録材料」拒絶査定不服審判事件〔平成１５年　７月　３日出願公開、特開２００３−１８２２４２〕について、次のとおり審決する。
【結　論】
　本件審判の請求は、成り立たない。
【理　由】
１．手続の経緯・本願発明
　本願は、平成１３年１２月２０日の出願であって、その請求項１ないし５に係る発明は、平成１４年１２月２７日付け手続補正書により補正された明細書の特許請求の範囲の請求項１ないし５に記載された事項により特定されるとおりのものであるところ、その請求項１に係る発明（以下「本願発明１」という。）は次のとおりのものである。
「【請求項１】　支持体上に、電子供与性無色染料と、該電子供与性無色染料と反応して発色させる電子受容性化合物とを含む感熱記録層を有する感熱記録材料において、
前記電子受容性化合物が４−ヒドロキシベンゼンスルホンアニリドであって、かつ前記支持体が吸油性顔料を含む下塗り層が設けられてなり、前記感熱記録層が画像安定剤を含み、該画像安定剤が、１，１，３−トリス（２−メチル−４−ヒドロキシ−５−ｔｅｒｔ−ブチルフェニル）ブタン及び１，１，３−トリス（２−メチル−４−ヒドロキシ−５−シクロヘキシルフェニル）ブタンの少なくとも一方であることを特徴とする感熱記録材料。」
　
２．刊行物の記載事項
　原審における拒絶理由に引用され、本願出願前に頒布された刊行物である特開２０００−２４７０３８号公報（以下、「刊行物１」という。）には次のような事項が記載されている。
(1)「【請求項１】　電子供与性無色染料と、下記一般式（Ｉ）で表される電子受容性化合物と、鹸化度が８８％以下であるポリビニルアルコールとを含有する感熱記録層を少なくとも有することを特徴とする感熱記録材料。
一般式（Ｉ）
【化１】 
　前記一般式（Ｉ）において、Ｒ1及びＲ2は、アルキル基、アルコキシル基又はアラルキルオキシ基を表す。」（特許請求の範囲請求項１）
(2)「【０００５】
【発明が解決しようとする課題】本発明は、前記従来における諸問題を解決し、以下の目的を達成することを課題とする。即ち、本発明は、地肌被りが生ずることがなく、画像保存性、発色性、耐薬品性に優れ、さらに製造安定性にも優れる感熱記録材料を提供することを目的とする。」
(3)「【００１５】―電子供与性無色染料―
前記電子供与性無色染料としては、特に制限はなく、目的に応じて従来公知のものの中から適宜選択することができ、例えば、トリフェニルメタンフタリド等のフタリド系化合物、フルオラン系化合物、フェノチアジン系化合物……など各種の化合物が挙げられる。」
(4)「【００２５】―一般式（Ｉ）で表される電子受容性化合物―
前記一般式（Ｉ）で表される電子受容性化合物において、Ｒ1及びＲ2で表される置換基は、炭素数１〜１０のアルキル基（例えば、メチル基、エチル基、プロピル基、イソプロピル基、ブチル基などが好ましい）、炭素数１〜１０のアルコキシル基（例えば、メトキシ基、エトキシ基、プロポキシ基、イソプロポキシ基などが好ましい）又はアラルキルオキシ基（例えば、ベンジルオキシ基、メチルベンジルオキシ基などが好ましい）を表す。前記一般式（Ｉ）で表される化合物は、前記感熱記録層において、顕色剤として機能する。
【００２６】前記一般式（Ｉ）で表される電子受容性化合物の具体例としては、４−ヒドロキシジフェニルスルホンアミド、２−ヒドロキシジフェニルスルホンアミド……等が挙げられる。これらの中でも、４−ヒドロキシジフェニルスルホンアミド、４−ヒドロキシフェニル−４’−メチルフェニルスルホンアミド等が好ましい。本発明においては、これらの前記一般式（Ｉ）で表される電子受容性化合物は、１種単独で使用してもよいし、２種以上を併用してもよい。」
(5)「【００３７】―その他の成分―
前記感熱記録層は、本発明の効果を害しない範囲内で、必要に応じて更にその他の成分を含有していてもよく、該その他の成分としては、例えば、ステアリン酸及びステアリン酸金属塩の共分散物……ヒンダードフェノール化合物、耐水化剤、などの外に感熱記録層に使用することができる公知の添加剤……が挙げられる。」
(6)「【００４５】前記ヒンダードフェノール化合物としては、例えば、少なくとも２位又は６位のうち１ケ以上が分岐アルキル基で置換されたフェノール誘導体などが好適に挙げられる。」
　
　同じく特開平１１−３４２６７６号公報（以下、「刊行物２」という。）には次のような事項が記載されている。
(7)「【請求項１】支持体上に、顔料と接着剤を主成分として含有する下塗り層と、ロイコ染料および呈色剤を含有する感熱記録層とを有する感熱記録体、または該感熱記録体の感熱記録層上に保護層を有する感熱記録体において、呈色剤が２，４−ビス（フェニルスルホニル）フェノールであることを特徴とする感熱記録体。
【請求項２】下塗り層中の顔料が、ＪＩＳ−Ｋ−５１０１による吸油量が７０〜８００ｍｌ／１００ｇである吸油性顔料、または有機中空粒子である請求項１記載の感熱記録体。
【請求項３】感熱記録層中に、保存性改良剤として１，１，３−トリス（２−メチル−４−ヒドロキシ−５−シクロヘキシルフェニル）ブタン、１，１，３−トリス（２−メチル−４−ヒドロキシ−５−tert−ブチルフェニル）ブタンおよび４−ベンジルオキシ−４′−（２−メチルグリシジルオキシ）ジフェニルスルホンから選ばれる少なくとも１種を含有する請求項１または２記載の感熱記録体。」（特許請求の範囲請求項１ないし３）
(8)「【０００５】
【発明が解決しようとする課題】本発明の課題は、記録感度および記録部の保存性に優れ、しかも地肌カブリの少ない感熱記録体を提供することである。」
(9)「【０００８】記録感度を高めるために形成される下塗り層は、顔料と接着剤を主成分し、顔料としては特に限定されないが、ＪＩＳ−Ｋ−５１０１による吸油量が７０〜８００ｍｌ／１００ｇである特定の吸油性顔料、または有機中空粒子が特に記録感度に優れ好ましい。かかる顔料の平均粒子径としては０．５〜２０μｍ程度、好ましくは０．５〜３μｍ程度である。」
(10)「【００２４】さらに、感熱記録層には記録部の保存性をより高めるための保存性改良剤、および記録感度を高めるための増感剤を含有させることもできる。保存性改良剤の具体例としては、例えば２，２’−メチレンビス（４−メチル−６−tert−ブチルフェノール）、２，２’−メチレンビス（４−エチル−６−tert−ブチルフェノール）……１，１，３−トリス（２−メチル−４−ヒドロキシ−５−シクロヘキシルフェニル）ブタン、１，１，３−トリス（２−メチル−４−ヒドロキシ−５−tert−ブチルフェニル）ブタン……等が挙げられる。
【００２５】上記の保存性改良剤のなかでも、１，１，３−トリス（２−メチル−４−ヒドロキシ−５−シクロヘキシルフェニル）ブタン、１，１，３−トリス（２−メチル−４−ヒドロキシ−５−tert−ブチルフェニル）ブタン、および４−ベンジルオキシ−４′−（２−メチルグリシジルオキシ）ジフェニルスルホンは、地肌カブリが少なく、しかも記録部の耐水性を大幅に向上させることができるため好ましく用いられる。」
　
３．対比・判断
　刊行物１には、電子供与性無色染料と、一般式（Ｉ）で表される電子受容性化合物とを含有する感熱記録層を少なくとも有する感熱記録材料〔(1)参照〕、
　該一般式（Ｉ）で表される電子受容性化合物の具体例として４−ヒドロキシジフェニルスルホンアミド等が好ましいこと〔(4)参照〕、
　該感熱記録層は、更にその他の成分として、ヒンダードフェノール化合物含んでもよいこと〔(5)参照〕
が記載されている。
　そうすると、刊行物１には、「支持体上に、電子供与性無色染料と、該電子供与性無色染料と反応して発色させる電子受容性化合物とを含む感熱記録層を有する感熱記録材料において、
電子受容性化合物が４−ヒドロキシジフェニルスルホンアミドであり、更にヒンダードフェノール化合物を含む感熱記録材料」が記載されているものと認める。
　そこで、本願発明１と刊行物１に記載の感熱記録材料を対比すると、
　両者は「支持体上に、電子供与性無色染料と、該電子供与性無色染料と反応して発色させる電子受容性化合物と含む感熱記録層を有する感熱記録材料」である点で一致し、次の点で相違する。
　相違点１：電子受容性化合物が、前者では、４−ヒドロキシベンゼンスルホンアニリドであるのに対して、後者では、４−ヒドロキシジフェニルスルホンアミドである点。
　相違点２：支持体が、前者では、吸油性顔料を含む下塗り層を設けられているのに対して、後者では、明示されていない点。
　相違点３：前者では、画像安定剤として、１，１，３−トリス（２−メチル−４−ヒドロキシ−５−ｔｅｒｔ−ブチルフェニル）ブタン及び１，１，３−トリス（２−メチル−４−ヒドロキシ−５−シクロヘキシルフェニル）ブタンの少なくとも一方を含むものであるのに対して、後者では、単にヒンダードフェノール化合物を含むものである点。
　
　上記相違点１ないし３について検討する。
　相違点１について
　刊行物１に記載の４−ヒドロキシジフェニルスルホンアミドは、一般式（Ｉ）〔(1)参照〕の「−ＳＯ２ＮＨ−」の両側に４−ヒドロキシフェニル基とフェニル基が置換した構造であるから、４−ヒドロキシベンゼンスルホンアニリドの別称であって、この２つは同じ化合物である。
　したがって、電子受容性化合物が４−ヒドロキシベンゼンスルホンアニリドであることは相違点になることではない。
　相違点２について
　刊行物２には、記録感度を高めるために、支持体に吸油性顔料を含む下塗り層を設けることが記載されているのであるから〔(7)、(9)参照〕、刊行物１に記載の感熱記録材料の支持体に吸油性顔料を含む下塗り層を設けることは、当業者が容易になし得たことである。
　相違点３について
　刊行物２には、記録部の保存性を高めるために、感熱記録層に、保存性改良剤として１，１，３−トリス（２−メチル−４−ヒドロキシ−５−シクロヘキシルフェニル）ブタン、１，１，３−トリス（２−メチル−４−ヒドロキシ−５−ｔｅｒｔ−ブチルフェニル）ブタンを含むことが記載されている〔(7)、(10)参照〕。
　そして、本願発明１の画像安定剤は、形成された発色画像の保存性、言い換えると、記録部の保存性のために含ませるのであるから（本願明細書段落【００７０】を参照。）、刊行物２に記載の保存性改良剤は画像安定剤といえるものである。
　刊行物１に記載の感熱記録材料も、感熱記録層にヒンダードフェノール化合物を含むものであり、そのヒンダードフェノール化合物は、「少なくとも２位又は６位のうちの１ケ以上が分岐アルキル基で置換されたフェノール誘導体」であるところ〔(5)、(6)参照〕、該１，１，３−トリス（２−メチル−４−ヒドロキシ−５−シクロヘキシルフェニル）ブタン、１，１，３−トリス（２−メチル−４−ヒドロキシ−５−tert−ブチルフェニル）ブタンもヒドロキシ基のオルト位が分岐アルキル基で置換されたフェノール誘導体であるからヒンダードフェノール化合物であり、これを画像安定剤として刊行物１に記載の感熱記録材料の感熱記録層に含ませることは、当業者が容易になし得たことである。
　
　また、請求人は、審判請求書において、本願発明１は、実施例１の耐光性９８％、地肌部カブリ濃度０．１０を示して、地肌カブリを低く抑えつつ耐光性が向上するという相乗的な効果を奏したと主張している。
　しかしながら、刊行物１、２のいずれも地肌カブリを抑え、耐光性を向上させることを課題とするように〔(2)、(8)参照〕、感熱記録材料において地肌カブリ、耐光性は共に周知の課題にすぎず、しかも、該実施例１の耐光性、地肌部カブリ濃度は、電子供与性無色染料として２−アニリノ−３−メチル−６−（Ｎ−エチル−Ｎ−ｐ−トリルアミノ）フルオランのみについて確認したものにすぎないから、これをもって、他のすべての電子供与性無色染料においてまでも同様に地肌カブリを低く抑えつつ耐光性が向上するとまではいうことができない。
　よって、本願発明１が、当業者の予想し得ないような顕著な効果を奏したとすることはできない。
　
５．むすび
　以上のとおり、本願請求項１に係る発明は、刊行物１及び２に記載された発明に基づいて当業者が容易に発明をすることができたものであるから、特許法第２９条第２項の規定により特許を受けることができない。
　そして、本願請求項１に係る発明が特許を受けることができないものであるから、本願請求項２ないし５に係る発明について検討するまでもなく、本願は拒絶すべきものである。
　よって、結論のとおり審決する。